【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてユーザ機器通信を管理するためのデータ構造を記憶する非一時的なコンピュータ可読記憶媒体であって、前記データ構造は、
２つのスロットを備えおよび単一スロット送信時間間隔（ＴＴＩ）を有する１つまたは複数の急速ダウンリンクチャネルを含むダウンリンクサブフレームと、
前記２つのスロットのうちの１つまたは両方内で周波数帯域幅が分割されて作られる１つまたは複数のリソース要素を各々備える１つまたは複数のリソース要素ブロック、ここにおいて、前記１つまたは複数のリソース要素ブロックの各々は、前記１つまたは複数の急速ダウンリンクチャネルに対応する制御チャネル領域またはデータチャネル領域を備え、少なくとも前記制御チャネル領域は、少なくとも１つのシンボル内で、レガシー制御チャネル領域と多重化される、と、
前記１つまたは複数の急速ダウンリンクチャネルによってサービスが提供される１つまたは複数のユーザ機器に関する、１つまたは複数のデータチャネル領域に関連する、１つまたは複数の制御チャネル領域内に配置された、１つまたは複数のリソースグラントと、
を備え、
プロセッサによって実行されると、前記プロセッサに、前記１つまたは複数の制御領域内に配置された前記１つまたは複数のリソースグラントを受信させるコードをさらに備える、非一時的なコンピュータ可読記憶媒体。
【請求項２】
前記ダウンリンクサブフレームは、２スロットＴＴＩを有する１つまたは複数のレガシーダウンリンクチャネルを含む、
請求項１に記載の非一時的なコンピュータ可読記憶媒体。
【請求項３】
前記レガシー制御チャネル領域は、前記少なくとも１つのシンボルのすべてのリソース要素を含み、ここにおいて、前記少なくとも１つのシンボルは、前記２つのスロットのうちの少なくとも１つであり、前記レガシー制御チャネル領域は、前記１つまたは複数のリソースグラントのうちの少なくとも１つを含む、
請求項２に記載の非一時的なコンピュータ可読記憶媒体。
【請求項４】
前記レガシー制御チャネル領域の前記１つまたは複数のリソースグラントのうちの前記少なくとも１つの各々は、前記データチャネル領域のうちの１つまたは複数に対応し、ここにおいて、前記データチャネル領域のうちの前記１つまたは複数の各々は、前記ダウンリンクサブフレームの１つのスロットまたは両方のスロットにまたがる、
請求項３に記載の非一時的なコンピュータ可読記憶媒体。
【請求項５】
前記１つまたは複数の制御チャネル領域のうちの少なくとも１つは、前記ダウンリンクサブフレームの１つのスロットにまたがり、および、前記１つまたは複数のリソースグラントのうちの少なくとも１つを含み、ここにおいて、前記１つまたは複数のリソースグラントのうちの前記少なくとも１つは、前記１つまたは複数の急速ダウンリンクチャネルに関する１つまたは複数のダウンリンクリソースグラントを含み、前記１つまたは複数のダウンリンクリソースグラントは、前記１つのスロットの１つまたは複数のデータチャネル領域に対応する、請求項１に記載の非一時的なコンピュータ可読記憶媒体。
【請求項６】
前記１つまたは複数の制御チャネル領域のうちの少なくとも１つは、前記１つまたは複数のユーザ機器のうちの１つに関するアップリンクリソースグラントを備える、
請求項１に記載の非一時的なコンピュータ可読記憶媒体。
【請求項７】
前記１つまたは複数の制御チャネル領域のうちの少なくとも１つは、前記ダウンリンクサブフレームの前記２つのスロットの各々にまたがり、および、前記２つのスロットの各々にまたがる前記１つまたは複数のデータチャネル領域のうちの少なくとも１つに対応するダウンリンクリソースグラントを含む、
請求項１に記載の非一時的なコンピュータ可読記憶媒体。
【請求項８】
ワイヤレス通信システムにおいてユーザ機器（ＵＥ）通信を管理する方法であって、
ネットワークエンティティにおいて、ダウンリンクチャネル上での１つまたは複数のユーザ機器ＵＥへの送信のためのユーザデータを入手することと、
前記ユーザデータおよび前記１つまたは複数のＵＥのうちの少なくとも１つに関連する１つまたは複数の配信制約事項を決定することと、
送信のための前記ユーザデータおよび前記１つまたは複数の配信制約事項に基づいて、送信のための前記ユーザデータの送信のためにダウンリンクチャネルリソースを割り振るためのダウンリンクサブフレームデータ構造を生成することと、
を備え、ここにおいて、前記ダウンリンクサブフレームデータ構造は、
２つのスロットを備えおよび単一スロット送信時間間隔（ＴＴＩ）を有する１つまたは複数の急速ダウンリンクチャネルを含むダウンリンクサブフレームと、
前記２つのスロットのうちの１つまたは両方内で周波数帯域幅が分割されて作られる１つまたは複数のリソース要素を各々備える１つまたは複数のリソース要素ブロック、ここにおいて、前記１つまたは複数のリソース要素ブロックの各々は、前記１つまたは複数の急速ダウンリンクチャネルに対応する制御チャネル領域またはデータチャネル領域を備え、少なくとも前記制御チャネル領域は、少なくとも１つのシンボル内で、レガシー制御チャネル領域と多重化される、と、
前記１つまたは複数の急速ダウンリンクチャネルによってサービスが提供される前記１つまたは複数のＵＥに関する、１つまたは複数のデータチャネル領域に関連する、１つまたは複数の制御チャネル領域内に配置された、１つまたは複数のリソースグラントと、  を備える、方法。
【請求項９】
前記１つまたは複数のＵＥに前記ダウンリンクサブフレームデータ構造を送信することをさらに備える、
請求項８に記載の方法。
【請求項１０】
前記１つまたは複数の急速ダウンリンクチャネルに関連するアグリゲーションレベルを上げることをさらに備える、請求項８に記載の方法。
【請求項１１】
前記１つまたは複数のリソース要素ブロックの各々は、最低２つのリソース要素ブロックを備える、
請求項８に記載の方法。
【請求項１２】
前記ユーザデータに対応する前記１つまたは複数の急速ダウンロードチャネルの急速ダウンリンクチャネルの前記１つまたは複数のリソース要素ブロックが単一のリソース要素ブロックを備える場合に前記ユーザデータに関連するトランスポートブロックサイズを２倍にすることをさらに備える、
請求項８に記載の方法。
【請求項１３】
促進された再送信時間を有するハイブリッド自動再送要求プロセスを維持することをさらに備え、ここにおいて、前記促進された再送信時間は、約４ｍｓである、
請求項８に記載の方法。
【請求項１４】
送信のための前記ユーザデータを入手することは、データフローを介して第２のネットワークエンティティからまたは前記ネットワークエンティティに関連する送信データ待ち行列から送信のための前記ユーザデータを入手することを備える、
請求項８に記載の方法。
【請求項１５】
前記ダウンリンクサブフレームは、２スロットＴＴＩを有する１つまたは複数のレガシーダウンリンクチャネルを含む、
請求項８に記載の方法。
【請求項１６】
前記レガシー制御チャネル領域は、前記少なくとも１つのシンボルのすべてのリソース要素を含み、ここにおいて、前記少なくとも１つのシンボルは、前記２つのスロットのうちの少なくとも１つであり、前記レガシー制御チャネル領域は、前記１つまたは複数のリソースグラントのうちの少なくとも１つを含む、
請求項１５に記載の方法。
【請求項１７】
前記レガシー制御チャネル領域の前記１つまたは複数のリソースグラントのうちの前記少なくとも１つの各々は、前記データチャネル領域のうちの１つまたは複数に対応し、ここにおいて、前記１つまたは複数のデータチャネル領域の各々は、前記ダウンリンクサブフレームの１つのスロットまたは両方のスロットにまたがる、
請求項１６に記載の方法。
【請求項１８】
前記１つまたは複数の制御チャネル領域のうちの少なくとも１つは、前記ダウンリンクサブフレームの１つのスロットにまたがり、および、前記１つまたは複数のリソースグラントのうちの少なくとも１つを含み、ここにおいて、前記１つまたは複数のリソースグラントのうちの前記少なくとも１つは、前記１つまたは複数の急速ダウンリンクチャネルに関する１つまたは複数のダウンリンクリソースグラントを含み、前記１つまたは複数のダウンリンクリソースグラントは、前記１つのスロットの１つまたは複数のデータチャネル領域に対応する、
請求項８に記載の方法。
【請求項１９】
前記１つまたは複数の制御チャネル領域のうちの少なくとも１つは、前記１つまたは複数のユーザ機器のうちの１つに関するアップリンクリソースグラントを備える、
請求項８に記載の方法。
【請求項２０】
前記１つまたは複数の制御チャネル領域のうちの少なくとも１つは、前記ダウンリンクサブフレームの前記２つのスロットの各々にまたがり、および、前記２つのスロットの各々にまたがる前記１つまたは複数のデータチャネル領域のうちの少なくとも１つに対応するダウンリンクリソースグラントを含む、
請求項８に記載の方法。
【請求項２１】
ワイヤレス通信システムにおいてユーザ機器（ＵＥ）通信を管理するための装置であって、
ネットワークエンティティにおいて、ダウンリンクチャネル上での１つまたは複数のＵＥへの送信のためのユーザデータを入手するための手段と、
前記ユーザデータおよび前記１つまたは複数のＵＥのうちの少なくとも１つに関連する１つまたは複数の配信制約事項を決定するための手段と、
送信のための前記ユーザデータおよび前記１つまたは複数の配信制約事項に基づいて、送信のための前記ユーザデータの送信のためにダウンリンクチャネルリソースを割り振るためのダウンリンクサブフレームデータ構造を生成するための手段と、
を備え、ここにおいて、前記ダウンリンクサブフレームデータ構造は、
２つのスロットを備えおよび単一スロット送信時間間隔（ＴＴＩ）を有する１つまたは複数の急速ダウンリンクチャネルを含むダウンリンクサブフレームと、
前記２つのスロットのうちの１つまたは両方内で周波数帯域幅が分割されて作られる１つまたは複数のリソース要素を各々備える１つまたは複数のリソース要素ブロック、ここにおいて、前記１つまたは複数のリソース要素ブロックの各々は、前記１つまたは複数の急速ダウンリンクチャネルに対応する制御チャネル領域またはデータチャネル領域を備え、少なくとも前記制御チャネル領域は、レガシー制御チャネル領域と多重化される、と、
前記１つまたは複数の急速ダウンリンクチャネルによってサービスが提供される前記１つまたは複数のＵＥに関する、１つまたは複数のデータチャネル領域に関連する、１つまたは複数の制御チャネル領域内に配置された、１つまたは複数のリソースグラントと、  を備える、装置。
【請求項２２】
前記１つまたは複数のＵＥに前記ダウンリンクサブフレームデータ構造を送信するための手段をさらに備える、
請求項２１に記載の装置。
【請求項２３】
前記１つまたは複数の急速ダウンリンクチャネルに関連するアグリゲーションレベルを上げるための手段をさらに備える、請求項２１に記載の装置。
【請求項２４】
急速ダウンリンクチャネルの前記１つまたは複数のリソース要素ブロックまたは前記ユーザデータに対応する前記１つまたは複数の急速ダウンロードチャネルが単一のリソース要素ブロックを備える場合に前記ユーザデータに関連するトランスポートブロックサイズを２倍にするための手段をさらに備える、
請求項２１に記載の装置。
【請求項２５】
送信のための前記ユーザデータを入手するための前記手段は、データフローを介して第２のネットワークエンティティからまたは前記ネットワークエンティティに関連する送信データ待ち行列から送信のための前記ユーザデータを入手するための手段を備える、
請求項２１に記載の装置。
【請求項２６】
前記ダウンリンクサブフレームは、２スロットＴＴＩを有する１つまたは複数のレガシーダウンリンクチャネルを含む、
請求項２１に記載の装置。
【請求項２７】
前記レガシー制御チャネル領域は、前記少なくとも１つのシンボルのすべてのリソース要素を含み、ここにおいて、前記少なくとも１つのシンボルは、前記２つのスロットのうちの少なくとも１つであり、前記レガシー制御チャネル領域は、前記１つまたは複数のリソースグラントのうちの少なくとも１つを含む、
請求項２６に記載の装置。
【請求項２８】
前記レガシー制御チャネル領域の前記１つまたは複数のリソースグラントのうちの前記少なくとも１つの各々は、前記データチャネル領域のうちの１つまたは複数に対応し、ここにおいて、前記データチャネル領域のうちの前記１つまたは複数の各々は、前記ダウンリンクサブフレームの１つのスロットまたは両方のスロットにまたがる、
請求項２７に記載の装置。
【請求項２９】
前記１つまたは複数の制御チャネル領域のうちの少なくとも１つは、前記１つまたは複数のユーザ機器のうちの１つに関するアップリンクリソースグラントを備える、
請求項２１に記載の装置。
【請求項３０】
ワイヤレス通信システムにおいてユーザ機器（ＵＥ）通信を管理するための装置であって、
プロセッサと、
前記プロセッサに結合されたメモリと、
を備え、前記メモリは、前記プロセッサによって実行されると、
ネットワークエンティティにおいて、ダウンリンクチャネル上での１つまたは複数のＵＥへの送信のためのユーザデータを入手し、
前記ユーザデータおよび前記１つまたは複数のＵＥのうちの少なくとも１つに関連する１つまたは複数の配信制約事項を決定し、
送信のための前記ユーザデータおよび前記１つまたは複数の配信制約事項に基づいて、送信のための前記ユーザデータの送信のためにダウンリンクチャネルリソースを割り振るためのダウンリンクサブフレームデータ構造を生成することを前記プロセッサに行わせるプロセッサ実行可能命令を格納し、ここにおいて、前記ダウンリンクサブフレームデータ構造は、
２つのスロットを備えおよび単一スロット送信時間間隔（ＴＴＩ）を有する１つまたは複数の急速ダウンリンクチャネルを含むダウンリンクサブフレームと、
前記２つのスロットのうちの１つまたは両方内で周波数帯域幅が分割されて作られる１つまたは複数のリソース要素を各々備える１つまたは複数のリソース要素ブロック、ここにおいて、前記１つまたは複数のリソース要素ブロックの各々は、前記１つまたは複数の急速ダウンリンクチャネルに対応する制御チャネル領域またはデータチャネル領域を備え、少なくとも前記制御チャネル領域は、レガシー制御チャネル領域と多重化される、と、
前記１つまたは複数の急速ダウンリンクチャネルによってサービスが提供される前記１つまたは複数のＵＥに関する、１つまたは複数のデータチャネル領域に関連する、１つまたは複数の制御チャネル領域内に配置された、１つまたは複数のリソースグラントと、
を備える、装置。